(57)【要約】【課題】ゼンマイの余巻調整手段を、全体の厚みを小さく抑えられるように小型化し得る共に、組付容易化・低コスト化し得る回転力蓄勢機構及び引戸用ランナー構造を提供する。【解決手段】ケース部材３１と、軸体３２ａと、内端３２ｅａを軸体３２ａに保持されるゼンマイ３２ｅと、外周部でゼンマイ３２ｅの外端３２ｅｂを保持するゼンマイケース３２ｃと、板ばね材より成り平面形状の二股部３２ｄａを軸体３２ａのナット部３２ａｂに対して該軸体３２ａの直径方向外方から嵌め込まれてナット部３２ａｂを挟持するクリップ部材３２ｄと、を備え、回り止めされたクリップ部材３２ｄは、ギヤ部材３２が回転されてゼンマイ３２ｅの巻き締めが行われときは軸体３２ａの回転を制止し、軸体３２ａに回し工具のトルクがかかると、二股部３２ｄａがナット部３２ａｂにより拡開される弾性を有している。【選択図】図７
2014101671.tif 000002
【特許請求の範囲】
【請求項１】
ケース部材と、
非円筒形のナット部を有すると共に外方に露出する端部に回し工具により回される対工具係合部を有し、前記ケース部材に回転可能に支持された軸体と、
内端を前記軸体に保持され巻回された弾性部材と、
前記弾性部材を介して前記軸体と接続された回転体と、
前記ケース部材に支持され、板ばね材より成り間口が狭い二股部を有し、該二股部で前記軸体のナット部を挟持するクリップ部材と、を備え、
前記クリップ部材は、前記回転体が回転され前記弾性部材の巻き締めが行われ該弾性部材に蓄積する反発トルクが作用しても前記ナット部により前記二股部が拡開されない剛性を有し、かつ前記弾性部材を巻き締める前記軸体がドライバー等の工具で回すトルクが作用するときには、前記ナット部により前記二股部が拡開される弾性を有する
ことを特徴とする回転力蓄勢機構。
【請求項２】
前記クリップ部材は、該二股部を前記軸体のナット部に対して該軸体の軸方向から嵌め込まれることにより、軸体のナット部を挟持するように設置される、請求項１に記載の回転力蓄勢機構。
【請求項３】
前記クリップ部材は、   
前記二股部の基部側を前記ケース部材に止着具により固定されて回り止めされる、請求項１または２に記載の回転力蓄勢機構。
【請求項４】
前記弾性部材は、内端を前記軸体に保持されたゼンマイであり、前記回転体は、前記軸体と略同心に回転可能に前記ケース部材又は前記軸体に支持され、外周部で前記ゼンマイの外端を保持し、外力により所定方向に回転されるときに該ゼンマイを巻き締める、請求項１から３のいずれかに記載の回転力蓄勢機構。
【請求項５】
前記対工具係合部は、端面又は周面に、ドライバー、スパナ等の回し工具が係合されて該回し工具により該軸体が回転される、請求項１乃至４のいずれかに記載の回転力蓄勢機構。
【請求項６】
戸枠または戸板のうち一方の上辺部または下縁に設けられたガイドレールと、
戸枠または戸板のうち他方の上端または下端に設けられ前記ガイドレールに沿って相対的に走行するガイドローラと、
前記ガイドレール又は前記ガイドローラと同側となるように、戸枠または戸板に設けられた請求項１乃至５のいずれかに記載の回転力蓄勢機構と、を備え、
引戸を閉戸状態から開戸させるときに前記回転力蓄勢機構の回転体が同側ではない戸枠または戸板に係合して回転され前記弾性部材を巻き締めて反発力を蓄積し、開戸した引戸から手を離すと、該弾性部材が蓄積した反発力により自動的に閉戸する構成であることを特徴とする引戸用ランナー構造。
【発明の詳細な説明】
【技術分野】
【０００１】
本発明は、渦巻状に巻回された弾性部材を利用した回転力蓄勢機構及びこの回転力蓄勢機構を内蔵し自動閉扉する引戸用ランナー構造に関する。
【背景技術】
【０００２】
互いに相対的に直線移動する２つの物体間に装着され、直線移動する物体の移動速度を緩速制御し、または直線移動する物体を自動復帰移動させるために渦巻ばねを利用した回転力蓄勢機構が採用されている。引戸用ランナー構造においては、回転力蓄勢機構が組み込まれており、引戸を閉戸状態から開戸させることに連動してプーリーを回転させ、このプーリーの回転により渦巻ばねを巻き締めて反発力を蓄積し、開戸した引戸から手を離すと、渦巻ばねが蓄積した反発力により自動的に閉戸していき、その際に回転力蓄勢機構が閉扉速度を制御し得る。
【０００３】
例えば、特許文献１に開示されている引戸用ランナー構造には、渦巻ばねを有する回転力蓄勢機構が内蔵されている。渦巻ばねと、渦巻ばねの内端と接続している回転可能な軸体と、渦巻ばねの外端と接続している渦巻ばねケース（ギヤ部材）は、回転力蓄勢機構を構成し、余巻調整手段（軸体に形成した六角ナットと、該六角ナットを挟んで軸体の回転を制止する回転制止ばね）を備えている。この回転力蓄勢機構は、閉戸状態においてドライバーの先端を軸体の端部の溝に挿し込み、該ドライバーで回転制止ばねの制止力に抗して軸体を回すと、余巻調整手段により渦巻ばねを余巻することができ、余巻の度合いにより閉戸状態においてもなお閉戸方向に作用する反発トルクの大きさを設定することができる。この反発トルクが大き過ぎると、引戸を開けるために大きな力を必要としかつ開戸して手を離すと勢いよく閉戸していき大きな閉戸音を生じる。また、反発トルクが小さ過ぎると、引戸を開けるための力が小さくて済むが、開戸して手を離すと閉戸速度が遅くなり、ローラとガイドロールとの間の走行抵抗が大きく生じるときには、閉扉間際での引戸が停止してしまう。従って、余巻調整手段により余巻を適切に調整することにより、余巻きによる反発トルクの大きさを適切に設定する。
【先行技術文献】
【特許文献】
【０００４】
【特許文献１】特開２００６−２１４１３４号公報
【発明の概要】
【発明が解決しようとする課題】
【０００５】
しかしながら、特許文献１に記載された引戸用ランナー構造において採用されている回転力蓄勢機構は、余巻調整手段を構成している軸体の回転を制止する回転制止ばねが、線材ばねにより棘抜きのように２つ折り形状に形成されていて、中程で軸体に形成したナット部を挟圧し、両端部を筐体より片持梁状に設けられた２本の支軸に支持される構成である。このため、装置全体の渦巻ばねの渦巻面に垂直な方向（軸体の軸方向）の寸法（厚み）が大きくなるので、引戸内に形成する自閉装置収容空間の戸厚方向の寸法が大きくなるから、自閉装置収容空間の両側部の板厚が薄く強度が小さくなるという問題がある。また、クリップ部材を軸体と２本の支軸に弾性変形させつつ組み付けるので組み付けが面倒である。
【０００６】
本発明は、上述した点に鑑み案出されたもので、渦巻ばねの余巻調整手段を、装置全体の厚みを小さく抑えられるように小型化し得る共に、組付容易化・低コスト化し得る回転力蓄勢機構及びこの回転力蓄勢機構を備えた引戸用ランナー構造を提供することを目的とする。
【課題を解決するための手段】
【０００７】
上記目的は、本発明の構成によれば、ケース部材と、非円筒形のナット部を有すると共に外方に露出する端部に回し工具により回される対工具係合部を有し、前記ケース部材に回転可能に支持された軸体と、内端を前記軸体に保持され巻回された弾性部材と、前記弾性部材を介して前記軸体と接続された回転体と、前記ケース部材に支持され、板ばね材より成り間口が狭い二股部を有し、該二股部で前記軸体のナット部を挟持するクリップ部材と、を備え、前記クリップ部材は、前記回転体が回転され前記弾性部材の巻き締めが行われ該弾性部材に蓄積する反発トルクが作用しても前記ナット部により前記二股部が拡開されない剛性を有し、かつ前記弾性部材を巻き締める前記軸体がドライバー等の工具で回すトルクが作用するときには、前記ナット部により前記二股部が拡開される弾性を有することを特徴とする、回転力蓄勢機構により、達成される。
【０００８】
この構成によれば、回転力蓄勢機構は、互いに相対的に直線移動する２つの物体のいずれか一方に取付けられ、かつ２つの物体が相対的に直線移動するときに、この直線運動が回転体に伝達され回転体が回転するように取付けられる。クリップ部材は、二股部の基部側をケース部材にねじ等の止着具により固定されて回り止めされる。
【０００９】
ここで、２つの物体のうち、可動構造体を所定の方向に押動すると、回転体が回転し、弾性部材が巻き締められていき反発トルクを蓄積していく。可動構造体から手を離すと、蓄積された反発トルクにより弾性部材が緩んでいきつつ、回転体が不動構造体に関係し転動していく。この転動速度は、弾性部材が蓄積した反発トルクの大きさに対応し、反発トルクの大きさは弾性部材の巻き締めの度合いに対応している。
【００１０】
弾性部材は、余巻き調整手段（軸体のナット部と、該ナット部を挟持して軸体が回転しないように保持するクリップ部材）により、余巻き調整できる。すなわち、クリップ部材は、回転体が回転され前記弾性部材の巻き締めが行われ該弾性部材に蓄積する反発トルクが作用しても非円筒形のナット部により前記二股部が拡開されない剛性を有し、前記弾性部材を巻き締める前記軸体がドライバー等の工具で回すトルクが作用するときには、非円筒形のナット部により前記二股部を拡開される弾性を有している構成である。従って、軸体の外方に露出する端部に形成された対工具係合部に回し工具を係合し、該回し工具をまわすことにより、軸体のナット部を二股部で挟持している回転不能なクリップ部材に対して軸体を回すことができ、弾性部材を余巻きすることができる。該クリップ部材は、板ばね材より成り間口が狭い二股部を有する平面形状であるので、弾性部材の余巻調整手段を小型化してダンパー全体の弾性部材の渦巻面に垂直な方向の厚みを小さく抑えられ、低コスト化し得る。
【００１１】
前記クリップ部材は、該二股部を前記軸体のナット部に対して該軸体の軸方向から嵌め込まれることにより、軸体のナット部を挟持するように設置されることが好ましい。この構成によれば、余巻調整手段を組付容易化・低コスト化し得る。
【００１２】
前記クリップ部材は、           
前記二股部の基部側を前記ケース部材にねじ等の止着具により固定されて回り止めされることが好ましい。この構成によれば、前記クリップ部材を確実に回り止めすることができる。
【００１３】
前記弾性部材は、内端を前記軸体に保持されたゼンマイであり、前記回転体は、前記軸体と略同心に回転可能に前記ケース部材又は前記軸体に支持され、外周部で前記ゼンマイの外端を保持し、外力により所定方向に回転されるときに該ゼンマイを巻き締める構成である。
【００１４】
前記対工具係合部は、端面又は周面に、ドライバー、スパナ等の回し工具が係合されて該回し工具により該軸体が回転される。すなわち、ドライバー、スパナ等の回し工具により軸体を回す手段として、該軸体の外方に露出する端部に回し工具により回される対工具係合部を形成するが、この対工具係合部は、ドライバーの先端と係合する＋形状、−形状の凹部に限定されず、軸体の端部周面にスパナに挟まれる両側一対の凹部を設ける場合も含まれる。
【００１５】
本発明の引戸用ランナー構造は、戸枠または戸板のうち一方の上辺部または下縁に設けられたガイドレールと、戸枠または戸板のうち他方の上端または下端に設けられ前記ガイドレールに沿って相対的に走行するガイドローラと、前記ガイドレール又は前記ガイドローラと同側となるように、戸枠または戸板に設けられた請求項１乃至５のいずれかに記載の回転力蓄勢機構と、を備え、引戸を閉戸状態から開戸させるときに前記回転力蓄勢機構の回転体が同側ではない戸枠または戸板に係合して回転され前記弾性部材を巻き締めて反発力を蓄積し、開戸した引戸から手を離すと、該弾性部材が蓄積した反発力により自動的に閉戸する構成であることを特徴とする。
【００１６】
この構成によれば、引戸用ランナー構造は、上記構成の回転力蓄勢機構を組み込んでなるので、閉戸状態において、軸体の端部の溝にドライバーの先端を挿し込み係合し軸体を回すと、弾性部材を軸体の周りに巻き締めていくことができ、巻き締めの度合いにより閉戸状態における閉戸方向の復帰移動するためのトルクの大きさを設定でき、閉扉速度を制御し得る。
そして、全体の厚み寸法を小さく抑えられるので、引戸内に形成する自閉装置収容空間の戸厚方向の寸法を小さく抑えられるから、自閉装置収容空間の両側部の板厚が薄くならず必要強度が保持し得る。
【発明の効果】
【００１７】
本発明によれば、弾性部材を最大に緩む状態でさらに緩む方向の反発トルクの大きさを設定する余巻調整手段を小型化してダンパー全体の厚みを小さく抑えられると共に、余巻調整手段を組付容易化・低コスト化し得る回転力蓄勢機構及びこの回転力蓄勢機構を備えた引戸用ランナー構造を提供することができる。
【図面の簡単な説明】
【００１８】
【図１】本発明の第一の実施形態にかかり、回転力蓄勢機構を備えた引戸用ランナー構造を組み込んだ自閉式引き戸の全体構成を示す概略斜視図である。
【図２】図１に示す引戸用ランナー構造に組み込まれたガイドレールを示す一部破断平面図である。
【図３】図２に示すガイドレールの左側面図である。
【図４】図１に示すガイドレールのガイドレールとラック部材とタイミングバーの取付状態を示す正面図である。
【図５】図２の引戸用ランナー構造に組み込まれたガイドローラを示す拡大斜視図である。
【図６】図５のガイドローラを示す分解斜視図である。
【図７】引き戸が下限位置となるように調整された状態の図１の引戸用ランナー構造の内部を示す概略正面図である。
【図８】ダンパー作動時における図１の引戸用ランナー構造を示す一部破断側面図である。
【図９】図２の引戸用ランナー構造を示す分解斜視図である。
【図１０】引き戸が上限位置となるように調整された状態の図１の引戸用ランナー構造の内部を示す概略正面図である。
【図１１】回転力蓄勢機構の一時停止機能開始時における引戸用ランナー構造のユニット部材を示す概略正面図である。
【図１２】回転力蓄勢機構の一時停止機能作動時における引戸用ランナー構造のユニット部材を示す概略正面図である。
【図１３】回転力蓄勢機構の一時停止機能終了時における引戸用ランナー構造のユニット部材を示す概略正面図である。
【図１４】引き戸が下限位置となるように調整された図１の引戸用ランナー構造を示す概略正面図である。
【図１５】引き戸が上限位置となるように調整された図１の引戸用ランナー構造を示す概略正面図である。
【図１６】図１の引戸用ランナー構造を使用して引き戸を戸枠に組み込む施工状態を示す概略斜視図である。
【図１７】図１６における施工状態を示す概略正面図である。
【図１８】回転力蓄勢機構の軸体とゼンマイケースとゼンマイを示す概略正面図である。
【図１９】回転力蓄勢機構のクリップ部材で軸体のナット部を回転不能にロックした状態を示す図である。
【図２０】発明の第二の実施形態に係る回転力蓄勢機構を示す要部縦断面図である。
【発明を実施するための形態】
【００１９】
図１は、本発明の第一の実施形態に係り、回転力蓄勢機構が蓄勢する回転力を利用して自閉する引戸用ランナー構造の引き戸に組み込んだ状態を示している。
図１において、引戸用ランナー構造１０は、建物等に設けられた開口部の戸枠１１の上縁に設けられたガイドレール１２に沿って長手方向（Ｘ方向）に引き戸（戸板）１３を移動可能に支持するように構成されており、ガイドレール１２に沿って走行するガイドローラ２０と、引き戸１３の上端に取り付けられ、ガイドローラ２０に連結されるユニット部材３０と、から構成されている。
【００２０】
上記構成の引戸用ランナー構造１０において、本発明に係る実施形態の特徴部分は、図１８，図１９に示すように、回転力蓄勢機構としてのユニット部材３０が、ケース部材３１とギヤ部材３２とを備えていることにあり、そして、ギヤ部材３２が、軸体３２ａと、内端３２ｅａを軸体３２ａに保持される「弾性部材」としてのゼンマイ３２ｅと、外周部でゼンマイ３２ｅの外端３２ｅｂを保持するゼンマイケース３２ｃと、板ばね材より成り平面形状の二股部３２ｄａを軸体３２ａのナット部３２ａｂに対して該軸体３２ａの直径方向外方から強制的に嵌め込まれてナット部３２ａｂを挟持するクリップ部材３２ｄと、を備えている。さらに、クリップ部材３２ｄが二股部３２ｄａの基部側をケース部材３１に固定されて回り止めされていることにより、ギヤ部材３２が回転されることに伴い、軸体３２ａによりゼンマイ３２ｅの巻き締めが行われるようになっていると共に、軸体３２ａがドライバー等の工具で回すトルクが作用するときには、非円筒形のナット部３２ａｂにより二股部３２ｄａを拡開される弾性を有している。以下、さらに詳述する。
【００２１】
ガイドレール１２は、図２及び図３に示すように、断面が中空の四角形として例えば長尺のアルミニウム材から構成されており、Ｚ方向下方が開放していると共に、図３に示すように、長手方向に垂直な横方向（Ｙ方向）の一側（図示の場合、後側）の下縁が内側に折り返されることにより、その先端が上方を向いたレール部１２ａを形成している。
ガイドレール１２は、図３に示すように、その内部の前側に沿って長手方向に延びるラック部材１４及びタイミングバー１５を備えている。
【００２２】
ラック部材１４は、図４に示すように、ガイドレール１２のほぼ全長に亘って配置されており、その下縁には所定ピッチのラック歯１４ａが形成されている。図示の場合、ラック部材１４は、その長さ方向に関して複数個に分割して形成され、端部が突き合わされることにより、連続的に配置されている。
ここで、ラック部材１４は、図３に示すように、上側に設けられた係合部１４ｂがガイドレール１２の上縁に設けられた係合溝１２ｂに係合することにより、ガイドレール１２に対して全長に亘って保持されている。これにより、ラック部材１４は、その全長に亘ってガイドレール１２に対して安定した状態で保持されることになる。
【００２３】
タイミングバー１５は、図４に示すように、ガイドレール１２の引き戸閉方向（Ｘ１方向）側の端部（図示の場合、左端）から所定距離Ｌだけ離れた位置から配置されていると共に、その左端付近の領域に、左端に向かって上向きに傾斜して形成されたテーパ部１５ａを備えている。図示の場合、タイミングバー１５は、その長さ方向に関して複数個に分割して形成されており、端部が突き合わされると共に、連結部１５ｂを介して連結されることにより、下面が連続した一つの面を画成している。タイミングバー１５の全体長さは、ガイドレール１２の全長の半分程度であり、所定距離Lを調整することにより、ブレーキのかかり位置を調整することができる。また、タイミングバー１５をガイドレール１２の引き戸開方向（Ｘ２方向）側の端部（図示の場合、右端）に完全に寄せた場合には、テーパ部１５ａがガイドレール１２の全長のほぼ中央に位置し、この場合においては、戸の閉方向への動きに対し常にブレーキがかかることとなる。この場合でも、タイミングバー１５は全長がガイドレール１２の引き戸開方向（Ｘ２方向）側の半分に収まるから、タイミングバー１５を切断する必要がない。
ここで、タイミングバー１５は、図３に示すように、上側に設けられた係合部１５ｃがラック部材１４に設けられた係合溝１４ｃに係合することにより、ラック部材１４そしてガイドレール１２に対して保持されている。これにより、タイミングバー１５は、その全長に亘ってラック部材１４を介してガイドレール１２に対して安定した状態で保持されることになる。
【００２４】
さらに、ラック部材１４の係合溝１４ｃとタイミングバー１５の係合部１５ｃとは、長手方向（Ｘ方向）に関してラッチ機構（図示せず）を備えており、タイミングバー１５がラック部材１４に対して長手方向（Ｘ方向）に位置調整され得る。
【００２５】
ガイドローラ２０は、図５及び図６に示すように、支軸ブロック体２１と、支軸ブロック体２１内でＸ方向及びＺ方向に移動可能に配置された支持部２２と、支持部２２に対して横向き（Ｙ方向）に延びる車軸２３に取り付けられた車輪２４を有している。
支軸ブロック体２１は、POM（ポリアセタール）等のプラスチック材料から成形され、上方が開放した中空のほぼ直方体状の外形を有しており、後述するように、ユニット部材３０に設けられた凹陥部内に着脱可能に取り付けられ、係止片２１ｃよりユニット部材３０に対して係合する。
【００２６】
支持部２２は、SPCC（圧延鋼板）またはZDC（亜鉛ダイキャスト）材料から成形され、支軸ブロック体２１の開放した上部から支軸ブロック体２１内に挿入されると共に、支軸ブロック体２１から上方に突出した部分に、車軸２３のための取付穴２２ａを有している。
さらに、支持部２２は、支軸ブロック体２１内に挿入された部分に、引き戸の閉側に向かって上方に延びる斜めスロット２２ｂを有している。
これに対して、支軸ブロック体２１の前側及び後ろ側の壁部には、長手方向に水平に延びるスロット２１ｂが形成されている。
そして、支軸ブロック体２１を前後に貫通するように延びるピン２５が、支持部２２の斜めスロット２２ｂ、支軸ブロック体２１の水平スロット２１ｂ及び補強板２６の水平スロット２６ｂに挿通され、ピン２５に穿設されたねじ孔には調整ネジ２１ａが螺合している。
このように、支持部２２は、支軸ブロック体２１内で、長手方向への移動に伴って、上下方向にも移動調整可能になっており、調整ネジ２１ａを正逆回転することにより、ピン２５が長穴である各スロット内を移動し、これに伴って支持部２２が支軸ブロック体２１内で上下動し、調整された位置で固定される。
【００２７】
尚、支軸ブロック体２１は、SPCC（圧延鋼板）等の金属材料から成る補強板２６により、前壁，右側壁及び後壁が補強されている。
また、支軸ブロック体２１は、図６に示すように、その下面に左方に延びる係止片２１ｃを備えており、ユニット部材３０の凹陥部内に挿入されたとき、この係止片２１ｃが凹陥部内に設けられた係止部（図示せず）に係合することにより、凹陥部内に係止されると共に、この係止片２１ｃの先端を押し上げることにより、係止部に対する係合が解除されるようになっている。
【００２８】
車輪２４は、支軸ブロック体２１の中心より後寄りに配置されており、ガイドレール１２の後寄りに設けられたレール部１２ａに乗ることにより、所謂片輪支持でレール部１２ａ上を転動する。
【００２９】
回転力蓄勢機構としてのユニット部材３０は、図７から図９に示すように、ケース部材３１，ギヤ部材３２，ベース部材３３，ダンパーリンク３６及びロータリーダンパー３８を有している。
ケース部材３１は、図９に示すように、引き戸１３の上端に取り付けられる第一のケース部材３４と、この第一のケース部材３４に対してＹ方向に延びる回転中心軸３４ａの周りに揺動可能に支持された第二のケース部材３５と、第二のケース部材３５に取り付けられたダンパーリンク３６と、を有している。
【００３０】
第一のケース部材３４は、二つの部分即ち第一の部分３４ｂ及び第二の部分３４ｃと、ガイド部材３４ｄと、から構成されている。
第一の部分３４ｂは、ガイドローラ２０の支軸ブロック体２１を受容する凹陥部３４ｅを備えている。
第二の部分３４ｃは、底部及び長手方向両側に位置する両側壁を有しており、これら両側壁により画成される空間内に、第二のケース部材３５を受容する。
【００３１】
ここで、第二の部分３４ｃは、その引き戸閉方向Ｘ１の端部付近において回転中心軸３４ａの周りに揺動して、その反対側が上下方向（Ｚ方向）に移動可能に支持されている。
そして、第一の部分３４ｂと第二の部分３４ｃとは、互いに組み合わされ、固定されることにより、一体の第一のケース部材３４として構成される。
【００３２】
また、ガイド部材３４ｄは、第二の部分３４ｃから引き戸開方向側に張り出す両側壁を有しており、この両側壁が、第二のケース部材３５を両側から挟持して、第二のケース部材３５の揺動時にガイドとして作用する。
このガイド部材３４ｄも、第一の部分３４ｂ及び第二の部分３４ｃに対して第一のケース部材３４として一体化される。
【００３３】
第二のケース部材３５は、同様に底部及び両側壁を有しており、これら両側壁の間に、ギヤ部材３２，ベース部材３３，ダンパーリンク３６及びロータリーダンパー３８を受容する。
ここで、第二のケース部材３５は、その引き戸閉方向Ｘ１の端部下方に設けられた当接部３５ａと第一のケース部材３４との間に設けられた圧縮バネ３７により、引き戸開方向Ｘ２に向かって付勢されている。これにより、第二のケース部材３５が回転中心軸３４ａの周りに揺動して、第二のケース部材３５全体がＺ方向上方に向かって付勢される。
【００３４】
ダンパーリンク３６は、第一のケース部材３４の回転中心軸３４ａの周りに揺動可能に支持されており、その一方のアーム部３６ａが、タイミングバー１５の下面に当接し得るように上方に向かって引き戸開方向Ｘ２に斜めに突出し、また他方のアーム部３６ｂが、台座部３８ｄを介してロータリーダンパー３８の回転軸を支持している。
さらに、ダンパーリンク３６は、付勢バネ３６ｃによって、他方のアーム部３６ｂが引き戸開方向Ｘ２に向かって付勢され、これにより図７において左旋回性を付与されている。
尚、ユニット部材３０が引き戸開方向Ｘ２に移動する際には、ダンパーリンク３６の一方のアーム部３６ａは、タイミングバー１５のテーパ部１５ａに沿って摺動することにより、円滑にタイミングバー１５の下面に誘導され、タイミングバー１５の下面に当接することになる。
【００３５】
ロータリーダンパー３８は、ダンパー部３８ａと、ダンパー部３８ａと同軸に且つ一体化されたギヤ部３８ｂと、を有している。
ダンパー部３８ａは、ギヤ部３８ｂの回転を抑制するように作用する。
ここで、ダンパーリンク３６の一方のアーム部３６ａがタイミングバー１５の下面に当接しているときには、図７に示すように、ギヤ部３８ｂは、ギヤ部材３２とは噛合せず、またアーム部３６ａがタイミングバー１５の設けられていない部分に位置する場合には、ダンパーリンク３６が付勢バネ３６ｃによって付勢されることにより、図１０に示すように、ギヤ部３８ｂは、ギヤ部材３２と噛合する。
尚、ロータリーダンパー３８の回転軸３８ｃは、第一のケース部材３４の第二の部分３４ｃの両側壁に設けられた円弧状のスロット３４ｆ内に配置されていることにより、ダンパーリンク３６の揺動に伴って、スロット３４ｆ内を円滑に移動されるようになっている。
【００３６】
ギヤ部材３２は、第二のケース部材３５の長手方向中央付近の上部において、Ｙ方向に延びる軸体３２ａの周りに回転可能に支持されており、その歯３２ｂが、ガイドレール１２に取り付けられたラック部材１４のラック歯１４ａと噛合し、ユニット部材３０の長手方向（Ｘ方向）の移動に伴って、ギヤ部材３２が回転する。
【００３７】
ギヤ部材３２は、第二のケース部材３５が圧縮バネ３７の作用によってＺ方向上方に付勢されていることにより、ガイドレール１２のラック部材１４に対して押圧される。これにより、ギヤ部材３２は、ラック部材１４に歪み，組み付け誤差等による位置ずれがあったとしても、常に確実にラック部材１４のラック歯１４ａと噛合することになる。
【００３８】
さらに、ギヤ部材３２には、一体にゼンマイケース３２ｃが取り付けられている。ゼンマイケース３２ｃ内には、ゼンマイ３２ｅ（渦巻ばね；図示せず）が内蔵されており、引き戸が引き戸開方向Ｘ２に移動されて、ラック部材１４に沿ってギヤ部材３２が回転移動することにより、ギヤ部材３２の回転によりゼンマイ３２ｅが巻き上げられ、このゼンマイ３２ｅの復元力によってギヤ部材３２が逆回転されることにより、引き戸が自動的に引き戸閉方向Ｘ１に移動する。
ここで、ゼンマイケース３２ｃは、外形が軸体３２ａを中心とする偏平な円筒状に形成されている。
【００３９】
ギヤ部材３２の軸体３２ａは、ギヤ部材３２に挿通されていると共に、第二のケース部材３５の両側壁に対して軸受されている。すなわち、軸体３２ａは、図９に示すように、一端のフランジ３２ａａに隣接し非円筒形、例えば正六角形の断面形状のナット部３２ａｂを有し、ギヤ部材３２がケース部材３１に収容された後に、他端よりケース部材３１の軸孔に通され、Eリング４１により脱出不能とされると共にナット部３２ａｂとEリング４１とで軸方向移動が不能とされ、かつ回転可能に両端支持される。さらに、軸体３２ａは、ゼンマイの内端に係合する係合部３２ａｃを有すると共に、他端に端面又は周面に、ドライバー、スパナ等の回し工具が係合されて該回し工具により該軸体３２ａが回転されるための対工具係合部３２ａｄを有する。図に示す対工具係合部３２ａｄは、先端部が「−」形状のドライバーを挿し込み係合し得る溝が形成されている。
【００４０】
クリップ部材３２ｄは、板ばね材より成り間口が狭い二股部３２ｄａを有する平面形状であり、二股部３２ｄａの基部側に設けられた孔３２ｄｂを止着具であるハトメ４２ａによりケース部材３１に装着され、軸体３２ａを挿入する際に二股部３２ｄａがナット部３２ａｂに対して軸体３２ａの軸方向から嵌め込まれることにより、二股部３２ｄａで軸体３２ａのナット部３２ａｂを挟持すると共に、ケース部材３１に対して回り止めされる。ハトメ４２ａは、孔３２ｄｂと、第二のケース部材３５におけるクリップ部材３２ｄ側に設けられた孔とに挿通したされた状態でかしめることにより、クリップ部材３２ｄを第二のケース部材３５に固定する。
【００４１】
クリップ部材３２ｄは、ギヤ部材３２が回転されゼンマイ３２ｅの巻き締めが行われゼンマイ３２ｅに蓄積する反発トルクが作用しても非円筒形のナット部３２ａｂにより二股部３２ｄａが拡開されない剛性を有し、ゼンマイ３２ｅを巻き締める前記軸体３２ａがドライバー等の工具で回すトルクが作用するときには、非円筒形のナット部３２ａｂにより二股部３２ｄａを拡開される弾性を有している。これにより、軸体３２ａは、クリップ部材３２ｄの挟持力によって、前述したゼンマイ３２ｅの復元力のみによっては、空転しないようになっている。その剛性及び弾性は、二股部３２ｄａの基部の形状と板面方向の最小幅を設計変更することによって調整し得る。
【００４２】
図１８は、本発明の第二の実施形態に係る回転力蓄勢機構における軸体３２ａとゼンマイケース３２ｃとゼンマイ３２ｅを示す概略正面図である。図１９は本発明の第二の実施形態に係る回転力蓄勢機構におけるクリップ部材３２ｄで軸体３２ａのナット部３２ａｂを回転不能にロックした状態を示す図である。なお、第二の実施形態において第一の実施形態と同様の作用を有する部分については同じ符号を付し、適宜説明を省略する。ゼンマイケース３２ｃは、第一のケース部材３４に収容されると共に、ボス部３４ｊに嵌合され回転可能である。ゼンマイ３２ｅは、ばね板材を渦巻状に巻回成形されてなり、ギヤ部材３２の内部空間に収容され、内端３２ｅａを軸体３２ａに形成されたスリット孔３２ａｃに通されて固定されていると共に、外端３２ｅｂをギヤ部材３２の内部空間の周面部に固定されている。ゼンマイケース３２ｃは、内周近傍に形成されたゼンマイ係止部３２ｃｃでゼンマイ３２ｅの外端３２ｅｂの折り返し部を係止している。
【００４３】
図２０は、本発明の第二の実施形態に係る回転力蓄勢機構としてのユニット部材の要部縦断面図を示す。この実施形態では、第一のケース部材３４は、一側面が閉じ、他側面が開いていると共に上端及びロータリーダンパー側が開いているケース部材本体３４ｇと、蓋３４ｈとを有し扁平箱形とされ、タッピンねじ３４ｉにより組み付けられる。ゼンマイケース３２ｃは、外周面に歯３２ｂを有するギヤ本体を兼ね、一端が閉じている略短円筒形状のゼンマイケース本体３２ｃａと、ゼンマイケース本体３２ｃａの開口部を閉じる円板状の蓋３２ｃｂと、を有する円筒箱形であり、タッピンねじ３２ｃｃにより固定される。ゼンマイケース本体３２ｃａの側面部及び蓋３２ｃｂに形成されている軸孔が、ケース部材本体３４ｇと蓋３４ｈに形成されているボス部３４ｊに嵌合される。
【００４４】
ギヤ本体を兼ねたゼンマイケース３２ｃは、第一のケース部材３４内に収容されると共に、ボス部３４ｊに嵌合され回転可能であり、ゼンマイケース３２ｃの内周部にゼンマイ３２ｅの折り返し形状の外端３２ｅｂを係止するゼンマイ係止部３２ｃｃで有している。
【００４５】
クリップ部材３２ｄは、板ばね材より成り間口が狭い二股部３２ｄａを有する平面形状であり、二股部３２ｄａを軸体３２ａのナット部３２ａｂに対して軸体３２ａの直径方向外方から強制的に嵌め込まれることにより二股部３２ｄａで軸体３２ａのナット部３２ａｂを挟持すると共に、二股部３２ｄａの基部側を前記ケース部材３１に止着具であるねじ４２ｂにより固定されて回り止めされる。
【００４６】
クリップ部材３２ｄは、ギヤ部材３２が回転されゼンマイ３２ｅの巻き締めが行われゼンマイ３２ｅに蓄積する反発トルクが作用しても非円筒形のナット部３２ａｂにより二股部３２ｄａが拡開されない剛性を有し、ゼンマイ３２ｅを巻き締める前記軸体３２ａがドライバー等の工具で回すトルクが作用するときには、非円筒形のナット部３２ａｂにより二股部３２ｄａを拡開される弾性を有している。これにより、軸体３２ａは、クリップ部材３２ｄの挟持力によって、前述したゼンマイ３２ｅの復元力のみによっては、空転しないようになっている。その剛性及び弾性は、二股部３２ｄａの基部の形状と板面方向の最小幅を設計変更することによって調整し得る。
【００４７】
本発明の第一の実施形態に係る回転力蓄勢機構に関し、ベース部材３３は、図１１に示すように、ギヤ部材３２に一体化されたゼンマイケース３２ｃの下側部分に沿うように円弧状に形成されていると共に、その引き戸閉方向Ｘ１側の端部が、Ｙ方向に延びる回転中心軸３３ａの周りに揺動可能に支持されている。
また、ベース部材３３の引き戸開方向Ｘ２側の端部は、ダンパー３９によって、上方に向かって付勢されている。
尚、ダンパー３９の付勢力は、後述するフリーローラ４０に付与する負荷がゼンマイ３２ｅの復元力より小さく選定されている。
【００４８】
ゼンマイケース３２ｃとベース部材３３との間には、フリーローラ４０が配置されている。
フリーローラ４０は、ギヤ部材３２そしてゼンマイケース３２ｃの回転に伴って、ゼンマイケース３２ｃとベース部材３３との間の間隙内を転動する。その際、ベース部材３３がダンパー３９によってゼンマイケース３２ｃに接近する方向に付勢されているので、フリーローラ４０は、転動の際に所定の摩擦による負荷を受けることになる。
ベース部材３３の引き戸開方向Ｘ２側の端部寄りの領域には、一対の規制ローラ３３ｂ，３３ｃが設けられている。これらの規制ローラ３３ｂ，３３ｃは、それぞれＹ方向に延びる横向きの回転軸３３ｄ，３３ｅにより、ベース部材３３に対して回転可能に枢支されている。
ここで、開側の規制ローラ３３ｂは、ベース部材３３の引き戸開方向側の端部付近に配置されており、閉側の規制ローラ３３ｃは、開側の規制ローラ３３ｂより回転中心軸３３ａ寄りに配置されている。
尚、ベース部材３３は、ゼンマイケース３２ｃに対向する湾曲面が、開側の規制ローラ３３ｂから閉側の規制ローラ３３ｃに向かって、ゼンマイケース３２ｃに対する距離が徐々に小さくなるようにテーパ状に形成されている。
【００４９】
これにより、引き戸の引き戸開方向Ｘ２への移動の際には、ギヤ部材３２が図７において左回転して、ゼンマイ３２ｅが巻き上げられると共に、ゼンマイケース３２ｃの左回転に伴って、フリーローラ４０が、ダンパー３９の付勢力に抗してベース部材３３を右旋させて、ベース部材３３とゼンマイケース３２ｃとの間の間隙を押し広げながら、ベース部材３３とゼンマイケース３２ｃの間を開側の規制ローラ３３ｂに向かって転動する。
そして、図１１に示すように、フリーローラ４０が開側の規制ローラ３３ｂに乗り上げると、この開側の規制ローラ３３ｂが自由に回転可能であることから、フリーローラ４０が空転することになり、ギヤ部材３２も自由に回転し得る。
【００５０】
この状態から、引き戸の開方向への移動が停止すると、ゼンマイケース３２ｃ内に収容されたゼンマイ３２ｅの復元力によって、ギヤ部材３２が右回転し、これに伴って、フリーローラ４０が、図１２に示すように、ゼンマイケース３２ｃとベース部材３３との間を閉側の規制ローラ３３ｃに向かって転動する。
その際、フリーローラ４０は、ダンパー３９の付勢力によって、ゼンマイケース３２ｃとベース部材３３との間に挟持されていることによって、負荷を加えられるので、転動が抑制され、低速で回転することになる。
ここで、ダンパー３９の付勢力を適宜に調整して、フリーローラ４０そしてゼンマイケース３２ｃ，ギヤ部材３２の回転速度、そしてゼンマイ３２ｅの復元力による引き戸の閉方向への移動速度を設定することにより、フリーローラ４０が開側の規制ローラ３３ｂから閉側の規制ローラ３３ｃまで移動する間の所要時間を任意に設定することができる。
【００５１】
そして、図１３に示すように、フリーローラ４０が転動して閉側の規制ローラ３３ｃに乗り上げると、この閉側の規制ローラ３３ｃが自由に回転可能であることから、フリーローラ４０が空転し、ギヤ部材３２も自由に回転し得る。
このようにして、引き戸の開閉に伴って、フリーローラ４０は、規制ローラ３３ｂ，３３ｃの間を転動することになる。
【００５２】
上記のように構成された引戸用ランナー構造１０は、以下のように動作する。
まず、引き戸１３が閉鎖状態にある場合には、図１０に示すように、ユニット部材３０のダンパーリンク３６の一方のアーム部３６ａは、タイミングバー１５の引き戸閉方向側に位置しているので、付勢バネ３６ｃの張力によって右回転されて、ロータリーダンパー３８のギヤ部３８ｂがギヤ部材３２に噛合している。
このとき、フリーローラ４０は、図１３に示すように、閉側の規制ローラ３３ｃに乗り上げていることにより、空転する。
【００５３】
このような閉鎖状態から、操作者が引き戸１３を引き戸開方向Ｘ２に移動すると、引き戸１３の開放移動に伴って、ラック部材１４に噛合するギヤ部材３２が左回転する。このとき、ギヤ部材３２の回転に伴って、ゼンマイケース３２ｃ内のゼンマイ３２ｅが巻き上げられると共に、フリーローラ４０がゼンマイケース３２ｃとベース部材３３との間を開方向側に向かって転動する。
そして、さらなるギヤ部材３２の回転により、フリーローラ４０が開側の規制ローラ３３ｂに乗り上げると、フリーローラ４０は空転する。
また、ダンパーリンク３６の一方のアーム部３６ａがタイミングバー１５のテーパ部１５ａに達すると、ダンパーリンク３６の一方のアーム部３６ａは、テーパ部１５ａに従って押し下げられ、付勢バネ３６ｃの張力に抗して右回転する。これにより、ロータリーダンパー３８のギヤ部３８ｂがギヤ部材３２から離反する。
このようにして、引き戸１３が開放される。
【００５４】
ここで、操作者が引き戸１３の開方向への移動を停止して手を離すと、ゼンマイケース３２ｃ内のゼンマイ３２ｅの復元力によって、ギヤ部材３２が右回転しようとするが、その際、フリーローラ４０がゼンマイケース３２ｃとベース部材３３との間で、ダンパー３９の付勢による摩擦力によって負荷を受けることによって、ゆっくりと閉側の規制ローラ３３ｃに向かって転動する。
このとき、ギヤ部材３２の回転による引き戸１３の閉側への移動速度は、きわめてゆっくりであるので、見かけ上、一時停止しているように観察される。
【００５５】
所定時間後にフリーローラ４０が閉側の規制ローラ３３ｃに乗り上げると、フリーローラ４０が空転する。これにより、ギヤ部材３２は、フリーローラ４０による負荷を受けなくなるので、ゼンマイ３２ｅの復元力によって高速で回転し、引き戸１３が閉方向に高速で移動する。
その後、引き戸１３が閉鎖位置に近づいて、ダンパーリンク３６の一方のアーム部３６ａがタイミングバー１５の閉側の端部付近に達して、テーパ部１５ａに沿って移動すると、ダンパーリンク３６は、付勢バネ３６ｃの張力に基づいて旋回するので、図１０に示すように、ロータリーダンパー３８のギヤ部３８ｂがギヤ部材３２に噛合する。
このとき、ロータリーダンパー３８のダンパー部３８ａがギヤ部材３２の回転を抑制する。従って、ギヤ部材３２は、ゼンマイ３２ｅの復元力により回転し、その際ゆっくりと回転することになる。これにより、引き戸１３は、ゆっくりと低速で閉鎖位置まで移動することになる。
【００５６】
このようにして、引き戸１３の開放時には、開放開始と共にフリーローラ４０が閉側の規制ローラ３３ｃに乗り上げた位置から開側の規制ローラ３３ｂに乗り上げる位置まで転動する。ここで、引き戸１３が途中の任意位置まで開放された場合でも、フリーローラ４０は確実に開側の規制ローラ３３ｂに乗り上げることになる。
そして、引き戸１３が開放停止されたとき、フリーローラ４０がゼンマイケース３２ｃとベース部材３３との間もゆっくりと転動することにより、ギヤ部材３２も低速で回転するので、引き戸１３は、見かけ上、開放停止位置で一時停止しているように観察される。
従って、操作者は、引き戸１３を全開しなくても、引き戸１３を任意の途中開放位置まで開放して、引き戸１３から手を離しても、引き戸１３は、その途中の開放位置で見かけ上一時停止するので、操作者は、引き戸１３を押さえずに、両手を自由に使用しながら引き戸１３が設置された開口部をゆっくりと通過することができる。
【００５７】
その後、所定時間が経過して、フリーローラ４０が閉側の規制ローラ３３ｃに乗り上げると、フリーローラ４０が空転する。これにより、ギヤ部材３２は、ゼンマイ３２ｅの復元力により高速で回転するので、引き戸１３は、自動的に即ち操作者が何ら操作をすることなく、ガイドレール１２に沿って高速で閉方向に移動する。
そして、引き戸１３が閉鎖位置に近づくと、ダンパーリンク３６の一方のアーム部３６ａがタイミングバー１５からテーパ部１５ａを通って外れるので、ダンパーリンク３６が回転して、ロータリーダンパー３８のギヤ部３８ｂがギヤ部材３２に噛合して、ギヤ部材３２の回転を制動する。従って、ギヤ部材３２はゆっくりと回転し、引き戸１３が低速で閉鎖位置まで移動する。これにより、引き戸１３が閉鎖する最終段階で低速になるので、引き戸１３の閉鎖時における指挟み等が発生したとしても、引き戸１３による衝撃が小さくなる。
【００５８】
ここで、戸枠１１が設置される開口部の建付精度によっては、引き戸１３を戸枠１１に取り付けた場合に、引き戸１３の上縁と戸枠１１の下縁との間の間隙が変動することがある。
前述したように、ユニット部材３０を構成するケース部材３１が、第一のケース部材３４と第二のケース部材３５とから構成されていて、第二のケース部材３５が第一のケース部材３４に対して揺動可能に支持されることにより、第二のケース部材３５が上下方向に調整可能である。
これにより、第二のケース部材３５が圧縮バネ３７の張力に基づいて上方に付勢されているので、ギヤ部材３２が常にラック部材１４と噛合する。
【００５９】
図１４は、第二のケース部材３５の上下方向の上限位置を示している。
図１４において、第二のケース部材３５は、第一のケース部材３４に対して、回転中心軸３４ａの周りに揺動して、全体が上方に移動して、その上限位置に位置しており、第一のケース部材３４の上縁とガイドレール１２の下端との間の間隔は、Ｄ１である。
このとき、第二のケース部材３５に支持されたギヤ部材３２は、第二のケース部材３５と共に上方に移動することによって、ラック部材１４と確実に噛合している。
尚、ダンパーリンク３６は、その一方のアーム部３６ａが大きく上方に揺動した状態にあり、ロータリーダンパー３８の回転軸３８ｃは、第一のケース部材３４のスロット３４ｆの一端付近に位置する。スロット３４ｆは、第一のケース部材３４の揺動を規制するものではなく、逃げが生じるよう設計されている。この状態で、ロータリーダンパー３８のギヤ部３８ｂは、ギヤ部材３２に噛合している。
【００６０】
また、図１５は、第二のケース部材３５の上下方向の下限位置を示している。
図１５において、第二のケース部材３５は、第一のケース部材３４に対して、回転中心軸３４ａの周りに揺動して、全体が下方に移動して、その下限位置に位置しており、第一のケース部材３４の上縁とガイドレール１２の下端との間の間隔は、Ｄ２である。
このとき、第二のケース部材３５に支持されたギヤ部材３２は、第二のケース部材３５と共に下方に移動することによって、ラック部材１４と確実に噛合している。
この場合も、ロータリーダンパー３８のギヤ部３８ｂは、ギヤ部材３２と噛合している。
【００６１】
このようにして、第二のケース部材３５の第一のケース部材３４に対する上下方向の揺動によって、第一のケース部材３４の上縁とガイドレール１２の下端との間の間隔は、Ｄ１からＤ２の間で調整されるので、開口部の建付精度が低くても、適正に引き戸１３を設置することが可能である。
【００６２】
このような第二のケース部材３５の上下方向の移動調整に関連して、ガイドレール１２及びラック部材１４が歪み等により長手方向に関して真っ直ぐに配置されていない場合であっても、引戸１３のガイドレール１２に沿う移動に伴って、第二のケース部材３５が上下方向に移動することによって、ギヤ部材３２は、ラック部材１４の歪み等に追従してラック部材１４と噛合する。これにより、ギヤ部材３２は、常にラック部材１４と噛合し、安定した動作が確保され得る。
従って、従来は、ガイドローラの車輪の位置を上下方向に調整することによって、引戸の高さ調整をしており、このようなガイドレール１２等の歪みに対応することは不可能であったが、本発明実施形態による引戸用ランナー構造１０によれば、第二のケース部材３５の上下方向の移動調整によって、ラック部材１４の歪み等に対して、十分に対応することが可能となる。
【００６３】
また、このように第二のケースが上下方向に移動調整されることによって、ダンパーリンク３６もタイミングバー１５に対して上下方向に移動することになるが、ダンパーリンク３６の一方のアーム部３６ａが大きく上方に揺動したときでも、ロータリーダンパー３８のギヤ部３８ｂはギヤ部材３２に噛合する。
従って、ダンパーリンク３６とタイミングバー１５による引き戸１３の閉鎖時における閉鎖位置直前の減速は、このような第二のケース部材３５の揺動による影響を受けることがなく、引き戸１３の閉鎖の際には、引き戸１３が閉鎖位置直前に達したとき、適宜のタイミングで引き戸１３の閉鎖速度が確実に減速され得る。
尚、第二のケースの上下方向の移動調整により、ダンパーリンク３６とタイミングバー１５のテーパ部１５ａとの長手方向に関する当接位置が僅かに変動するが、この当接位置は、タイミングバー１５を長手方向に移動調整することにより、所定の長手方向位置に正確に調整することも可能である。
【００６４】
次に、図１６及び図１７において、上記構成の引戸用ランナー構造１０を利用して、引き戸１３を戸枠１１に設置する手順を説明する。
まず、ラック部材１４及びタイミングバー１５を組み付けたガイドレール１２を戸枠１１の上縁の下面に対して取り付ける。また、引き戸１３の上端には、閉方向端部に隣接して、ユニット部材３０を取り付ける。
続いて、ガイドローラ２０を戸枠１１側のガイドレール１２に装着する。この場合、ガイドローラ２０を、その車輪２４が上向きになるように傾斜させて、車輪２４をガイドレール１２の開放した下端から内部に挿入し、車輪２４の下端をガイドレール１２のレール部１２ａに乗せる。そして、ガイドローラ２０全体を直立させることにより、ガイドローラ２０がガイドレール１２に装着される。
【００６５】
その後、引戸１３の上端を戸枠１１の下縁に対向するように開口部内に位置させ、ガイドローラ２０をＸ方向に移動させながら、引戸１３に取り付けられたユニット部材３０の第一のケース部材３４の凹陥部３４ｅ内に挿入する。
ここで、ガイドローラ２０を凹陥部３４ｅ内に完全に挿入すると、係合ロック部材２１ｃが凹陥部３４ｅ内の係止部と係合して、ガイドローラ２０が凹陥部３４ｅ内に係止される。
【００６６】
引戸１３を戸枠１１から取り外す場合には、係合ロック部材２１ｃを操作して、係止を解除することにより、ガイドローラ２０が容易にユニット部材３０から取り外される。
このようにして、本発明による引戸用ランナー構造１０によれば、引戸１３が戸枠１１に対して容易に着脱可能に設置され得る。
【００６７】
ラック部材１４とギヤ部材３２とゼンマイ３２ｅとクリップ部材３２ｄとの関係を説明する。引き戸１３を開戸していくと、ラック部材１４に噛合するギヤ部材３２が回転し、ゼンマイ３２ｅが巻き締められていき反発トルクを蓄積していく。引き戸１３から手を離すと、ゼンマイ３２ｅが蓄積した反発トルクにより、該ゼンマイ３２ｅが緩んでいきつつ、ラック部材１４に噛合するギヤ部材３２が転動していく。従って、引き戸１３が自動閉扉していく。ギヤ部材３２の転動速度は、ゼンマイ３２ｅが蓄積した反発トルクの大きさに対応し、反発トルクの大きさはゼンマイ３２ｅの巻き締めの度合いに対応しており、ゼンマイ３２ｅが緩んで行くのに対応して漸次に小さくなる。
【００６８】
ゼンマイ３２ｅは、余巻き調整手段（軸体３２ａのナット部３２ａｂとクリップ部材３２ｄ）により、余巻き調整できる。すなわち、図１６に示すように、引戸１３の板面には、軸体３２ａの端部に形成された対工具係合部３２ａｄに対応する部分に切欠きが設けられており、対工具係合部３２ａｄが外方に露出している。この対工具係合部３２ａｄにドライバーの先端を係合し、該ドライバーを回すことにより、軸体３２ａを回して、ゼンマイ３２ｅを余巻きすることができる。このとき、軸体３２ａのナット部３２ａｂを二股部３２ｄａで挟持している回転不能なクリップ部材３２ｄは板面方向に弾性変形し、二股部３２ｄａが拡開されるので、ナット部３２ａｂとの係合が解除され、軸体３２ａの回転を妨げることがない。ゼンマイ３２ｅが適度に巻き締められた状態で、ドライバーを対工具係合部３２ａｄから離すと、ゼンマイ３２ｅの反発トルクにより軸体３２ａに回転力が加わるが、クリップ部材３２ｄは、この反発トルクが作用してもナット部３２ａｂにより二股部３２ｄａが拡開されない程度の剛性を有するから、軸体３２ａが回転してしまうことはない。
このようにして、クリップ部材３２ｄによれば簡単に余巻き調整ができ、また板ばね材より成り平面形状であるので、ゼンマイ３２ｅの余巻調整手段（軸体３２ａのナット部３２ａｂとクリップ部材３２ｄ）の小型化を実現でき、ダンパー全体のゼンマイ３２ｅの渦巻面に垂直な方向の厚みを小さく抑えられると共に、余巻調整手段を組付容易化・低コスト化し得る。
【００６９】
本発明はその趣旨を逸脱しない範囲において様々な形態で実施することができる。
例えば、上述した実施形態においては、ベース部材３３はダンパー３９によって上方に向かって付勢されているが、これに限らず、圧縮バネ等の弾性部材によって上方に向かって付勢されていてもよい。
上述した実施形態においては、引き戸１３は、ギヤ部材３２に組み込まれたゼンマイ３２ｅの復元力によって、閉方向に付勢されているが、これに限らず、引き戸１３は、他の付勢手段によって閉方向に付勢されていてもよい。
例えば、付勢手段として、ガイドレール１２が閉方向に向かって低くなるように傾斜して配置されていてもよい。これにより、ガイドレール１２にガイドローラ２０により吊り下げられて支持された引き戸１３は、引き戸１３の自重に基づいて、傾斜したガイドレール１２により生ずる閉方向への分力によって、常に閉方向への付勢力を受けることになる。
【００７０】
上述した実施形態においては、タイミングバー１５は、その閉方向側の端部にテーパ部１５ａを備えているが、これに限らず、開方向側の端部にテーパ部を備えていてもよい。これにより、ダンパーリンク３６の一方のアーム部３６ａがタイミングバー１５に当接しているときに、ロータリーダンパー３８のギヤ部３８ｂがギヤ部材３２と噛合するようにすれば、同様に引き戸１３の閉鎖時に、引き戸１３が閉鎖位置直前に達したとき、ギヤ部材３２がロータリーダンパー３８の作用によって減速される。
上述した実施形態においては、ダンパーリンク３６は、付勢バネ３６ｃによって、ロータリーダンパー３８のギヤ部３８ｂをギヤ部材３２に噛合させるように、付勢されているが、これに限らず、ロータリーダンパー３８の回転軸３８ｃが直接に付勢部材により、作動側に付勢されていてもよい。
【００７１】
上述した実施形態においては、ロータリーダンパー３８がギヤ部３８ｂ，ギヤ部材３２を介してラック部材１４に関係し、引き戸１３の閉鎖速度を低減させるように構成されているが、これに限らず、ロータリーダンパー３８が直接にラック部材１４に関係して、ラック部材１４に対するケース部材３１またはユニット部材３０の制動を行なうようにしてもよい。
上述した実施形態においては、ロータリーダンパー３８の回転軸３８ｃは、ダンパーリンク３６のアーム部３６ｂに台座部３６ｄを介して連結されているが、これに限らず、回転軸３８ｃがダンパーリンク３６と連結されていないが摺動または揺動可能であってアーム部３６ｂにより作動側及び非作動側に押動されるように構成されていてもよい。
【００７２】
また、上述した実施形態においては、戸枠１１の上縁にガイドレール，ラック部材及びタイミングバーが取り付けられて、引き戸１３の上端にガイドローラ及びユニット部材が取り付けられているが、これに限らず、戸枠１１の下縁にガイドレール，ラック部材及びタイミングバーが取り付けられて、引き戸１３の下端にガイドローラ及びユニット部材が取り付けられていてもよい。
さらに、上述した実施形態においては、戸枠側にガイドレール，ラック部材及びタイミングバーが取り付けられ、引き戸側にガイドローラ及びユニット部材が取り付けられているが、これに限らず、引き戸側にガイドレール，ラック部材及びタイミングバーが取り付けられ、戸枠側にガイドローラ及びユニット部材が取り付けられていてもよい。
【００７３】
上記の実施の形態では、戸枠１１の上辺部にガイドレール１２が設けられ、引き戸１３の上端にガイドローラ２０とユニット部材（回転力蓄勢機構）３０とが設けられた構成であるが、
（１）戸枠１１の上辺部にガイドローラ２０とユニット部材３０とが設けられ、引き戸１３の上端にガイドレール１２が設けられた構成であっても良い。
（２）戸枠１１の下縁にガイドレール１２が設けられ、引き戸１３の下端にガイドローラ２０とユニット部材３０とが設けられた構成であっても良い。
（３）戸枠１１の下縁にガイドローラ２０とユニット部材３０とが設けられ、引き戸１３の下端にガイドレール１２が設けられた構成であっても良い。
【００７４】
以上述べたように、上記実施形態の説明から、本発明によれば、弾性部材を最大に緩む状態でさらに緩む方向の反発トルクの大きさを設定する余巻調整手段を小型化してダンパー全体の厚みを小さく抑えられると共に、余巻調整手段を組付容易化・低コスト化し得る回転力蓄勢機構及びこの回転力蓄勢機構を備えた引戸用ランナー構造を提供することができる。そして、上記実施形態によれば、簡単な構成により、任意の開放位置で所定時間の間だけ引き戸を実質的に一時停止させ、その後に引き戸を自動的に閉鎖することができるようにした、極めて優れた引戸用ランナー構造が提供される。
【符号の説明】
【００７５】
１０    引戸用ランナー構造
１１    戸枠
１２    ガイドレール
１３    引き戸（戸板）
１４    ラック部材
１５    タイミングバー
２０    ガイドローラ
２１    支軸ブロック体
２２    支持部
２３    車軸
２４    車輪
３０    ユニット部材（回転力蓄勢機構）
３１    ケース部材
３２    ギヤ部材
３２ａ  軸体
３２ａａ  ナット部
３２ａｂ  スリット孔
３２ｂ  歯
３２ｃ  ゼンマイケース
３２ｃａ  ゼンマイ係止部
３２ｄ    クリップ部材
３２ｄａ  二股部
３２ｅ    ゼンマイ（弾性部材）
３２ｅａ  内端
３２ｅｂ  外端
３３    ベース部材
３３ａ  回転中心軸
３３ｂ  第一の規制ローラ
３３ｃ  第二の規制ローラ
３４    第一のケース部材
３５    第二のケース部材
３６    ダンパーリンク
３６ａ，３６ｂ  アーム部
３６ｃ  付勢バネ
３７    圧縮バネ
３８    ロータリーダンパー
３８ａ  ダンパー部
３８ｂ  ギヤ部
３９    ダンパー
４０    フリーローラ
４１    Eリング
【図１】
2014101671.tif 000003
【図２】
2014101671.tif 000004
【図３】
2014101671.tif 000005
【図４】
2014101671.tif 000006
【図５】
2014101671.tif 000007
【図６】
2014101671.tif 000008
【図７】
2014101671.tif 000009
【図８】
2014101671.tif 000010
【図９】
2014101671.tif 000011
【図１０】
2014101671.tif 000012
【図１１】
2014101671.tif 000013
【図１２】
2014101671.tif 000014
【図１３】
2014101671.tif 000015
【図１４】
2014101671.tif 000016
【図１５】
2014101671.tif 000017
【図１６】
2014101671.tif 000018
【図１７】
2014101671.tif 000019
【図１８】
2014101671.tif 000020
【図１９】
2014101671.tif 000021
【図２０】
2014101671.tif 000022